(57)【要約】【課題】店舗でレシートを発行しない場合等において、購入された商品の購入証明を容易かつ確実にできるようにすることを課題とする。【解決手段】購入された商品に関する情報と、シールの発行の有無の指示を入力する入力部と、前記入力された商品に関する情報から、購入商品の合計金額を含む取引情報を取得する取引情報取得部と、前記取引情報を記憶する記憶部と、前記シールを発行する指示が入力された場合、前記記憶された取引情報から、前記シールに印字すべき購入商品のテキスト情報と、購入商品に関する所定の情報を含む印字コードとを生成する印字情報生成部と、端部に接着領域を有するシールに、前記生成されたテキスト情報と印字コードとを印刷するシール印刷部とを備えたことを特徴とする。【選択図】図２
2011227723.tif 000002
【特許請求の範囲】
【請求項１】
購入された商品に関する情報と、シールの発行の有無の指示を入力する入力部と、
前記入力された商品に関する情報から、購入商品の合計金額を含む取引情報を取得する取引情報取得部と、
前記取引情報を記憶する記憶部と、
前記シールを発行する指示が入力された場合、前記記憶された取引情報から、前記シールに印字すべき購入商品のテキスト情報と、購入商品に関する所定の情報を含む印字コードとを生成する印字情報生成部と、
端部に接着領域を有するシールに、前記生成されたテキスト情報と印字コードとを印刷するシール印刷部とを備えたことを特徴とする商品情報印刷装置。
【請求項２】
前記取引情報は、購入日時，レジ番号，レシート番号および合計金額を含む基本購入情報と、購入商品ごとの商品コードと、その商品単価と、その商品の購入金額とを含む購入商品情報とから構成されることを特徴とする請求項１の商品情報印刷装置。
【請求項３】
前記印字コードは、１次元コードまたは２次元コードであり、前記１次元コードは、少なくとも前記レシート番号を含み、前記２次元コードは、前記基本購入情報および購入商品情報を含むことを特徴とする請求項２に記載の商品情報印刷装置。
【請求項４】
前記シールを発行する指示入力が、購入商品の明細をテキスト情報で印字する指示である場合、前記印刷されるテキスト情報には、前記基本購入情報と購入されたすべての商品の前記購入商品情報を含み、前記印刷される印字コードは、前記１次元コードであることを特徴とする請求項３に記載の商品情報印刷装置。
【請求項５】
前記シールを発行する指示入力が、購入商品の明細をテキスト情報で印字しない指示である場合、前記印刷されるテキスト情報には、前記基本購入情報を含み、前記印刷される印字コードは、前記２次元コードであることを特徴とする請求項３に記載の商品情報印刷装置。
【請求項６】
前記シールは、細長い形状でその一方の端部に接着領域を備え、前記接着領域は、シールの一方の表面の用紙をはがすことができることを特徴とする請求項１乃至５のいずれかに記載の商品情報印刷装置。
【請求項７】
前記シールは、細長い形状でその両端にそれぞれ接着領域を備え、各接着領域は、シールの一方の表面の用紙をはがすことができることを特徴とする請求項１乃至５のいずれかに記載の商品情報印刷装置。
【発明の詳細な説明】
【技術分野】
【０００１】
この発明は、商品情報印刷装置に関し、特に、購入した商品情報や２次元コードを印刷したシールによって、購入商品の明細の確認や購入証明をすることが可能な商品情報印刷装置に関する。
【背景技術】
【０００２】
コンビニエンスストアなどの店舗では、一般的に、ＰＯＳ（Point of sales）端末において、商品ごとに付与されたバーコードを読み取り、顧客が購入した商品の取引情報を入力し、売上レシートを発行し、購入商品とともに顧客に渡している。
売上レシートには、購入した店舗名，購入日時、購入商品名とその価格，合計金額などが印字されている。また、売上レシートには、購入した商品の情報（商品名，購入価格）から生成されたバーコードが印字されるものもある（特許文献１参照）。
【０００３】
また、ＰＯＳ端末での決済処理時に、顧客から売上レシートは不要という申出があれば、売上レシートを発行しないという運用をしている店舗もある。
【０００４】
さらに、購入商品数が少ない場合や顧客がいわゆるマイバッグを持参している場合、顧客からレジ袋は不要という申出があれば、商品を入れるレジ袋を渡す代わりに、購入商品そのものに対して、購入済みであることを示すシールやテープを貼付するという運用をしている店舗もある。
このような運用をしている店舗では、取引処理後に、顧客が所持する商品が本当に購入された商品であるか否かを証明することが困難となる場合があるので、購入証明を明確にすることを目的としたシールを発行することが可能な装置が提案されている。
【０００５】
たとえば、特許文献２には、顧客の買上商品のうち、買上シールを発行させる旨の宣言が成された商品に対して、付着可能でかつその商品が商品登録済であることを証明する買上シールを印刷して、その買上げられた商品そのものに貼付けることにより、買上商品であることを確実に証明できるようにした商品販売登録データ処理装置が提案されている（段落００２５〜００３１参照）。
【０００６】
また、特許文献３には、購入者が購入した商品ごとに、その購入日時、その商品の名称などの商品固有データが印字されたテープを出力し、出力されたテープをその商品そのものに貼り付けることにより、テープの貼り変えや偽造により商品を不正に持ち出すことを防止した電子キャッシュレジスタが提案されている（段落００１７，００３１，００３２参照）。
【０００７】
また、特許文献４には、単品限りの決済情報（商品名，合計金額など）が印字された取引明細部と、発行の年月日時分と決済済みであることを示す表示とが印字された購入証明部とを含むレシートシールを印字発行し、顧客がこのレシートシールを購入した商品そのものに貼り付けることにより、一品だけ購入された商品が、本当に決済済みであるかどうかを一見して分からせるようにしたチェックアウト方法が提案されている（段落００１０，００４１，００４２参照）。
【先行技術文献】
【特許文献】
【０００８】
【特許文献１】特開２００６−１７８５６１号公報
【特許文献２】特開平９−３５１４５号公報
【特許文献３】特開平９−４４７５１号公報
【特許文献４】特開２００５−２９３０２３号公報
【発明の概要】
【発明が解決しようとする課題】
【０００９】
しかし、従来の特許文献２，３および４では、購入した商品ごとに、所定のシールを貼り付ける必要があるので、購入商品の数が多い場合、シールを貼る作業に時間がかかり、レジで決済処理をする操作者にとって負担が大きくなり、混雑している場合には顧客は待たされる時間が長くなる。
また、袋詰めしていない野菜など、シールを貼ることが困難な商品や、シールを貼ってもはがれてしまうおそれのある商品については、後に決済済みの商品であるかを判別できず、購入済み証明が十分にできない場合もある。
【００１０】
また、レシートが不要ということで単に購入済みか否かを表示したシールを、商品に貼るという運用をする場合、現場での購入証明が容易にできたとしても、後日、レシートの新たな発行や領収証の発行を要求された場合に、それらの発行要求に対応する売上データの検索等の作業に手間がかかり、操作者の負担は大きい。
【００１１】
そこで、この発明は、以上のような事情を考慮してなされたものであり、従来のようなレシートの発行の有無やレジ袋の要不要にかかわらず、またシールの貼付が困難な商品の購入有無にかかわらず、レジでの操作者の負担をかけずに、商品の購入証明が十分に可能で、後日レシートの発行も容易にできるシールを出力することが可能な商品情報印刷装置を提供することを課題とする。
【課題を解決するための手段】
【００１２】
この発明は、購入された商品に関する情報と、シールの発行の有無の指示を入力する入力部と、前記入力された商品に関する情報から、購入商品の合計金額を含む取引情報を取得する取引情報取得部と、前記取引情報を記憶する記憶部と、前記シールを発行する指示が入力された場合、前記記憶された取引情報から、前記シールに印字すべき購入商品のテキスト情報と、購入商品に関する所定の情報を含む印字コードとを生成する印字情報生成部と、端部に接着領域を有するシールに、前記生成されたテキスト情報と印字コードとを印刷するシール印刷部とを備えたことを特徴とする商品情報印刷装置を提供するものである。
【００１３】
また、前記取引情報は、購入日時，レジ番号，レシート番号および合計金額を含む基本購入情報と、購入商品ごとの商品コードと、その商品単価と、その商品の購入金額とを含む購入商品情報とから構成されることを特徴とする。
さらに、前記印字コードは、１次元コードまたは２次元コードであり、１次元コードは、少なくとも前記レシート番号を含み、２次元コードは、前記基本購入情報および購入商品情報を含むことを特徴とする。
【００１４】
また、この発明は、前記シールを発行する指示入力が、購入商品の明細をテキスト情報で印字する指示である場合、前記印刷されるテキスト情報には、前記基本購入情報と購入されたすべての商品の前記購入商品情報を含み、前記印刷される印字コードは、前記１次元コードであることを特徴とする。
【００１５】
あるいは、前記シールを発行する指示入力が、購入商品の明細をテキスト情報で印字しない指示である場合、前記印刷されるテキスト情報には、前記基本購入情報を含み、前記印刷される印字コードは、前記２次元コードであることを特徴とする。
【００１６】
また、この発明は、前記シールは、細長い形状でその一方の端部に接着領域を備え、前記接着領域は、シールの一方の表面の用紙をはがすことができることを特徴とする。
あるいは、前記シールは、細長い形状でその両端にそれぞれ接着領域を備え、各接着領域は、シールの一方の表面の用紙をはがすことができることを特徴とする。
【発明の効果】
【００１７】
この発明は、購入商品に関するテキスト情報や印字コードが印刷されたシールを発行するので、このシールを購入商品を入れた買物かごやレジ袋に貼付することにより、より容易かつ確実に購入証明ができ、決済済みを示すテープを各商品ごとに貼り付ける場合よりも装置の操作者の負担を軽減できる。
【図面の簡単な説明】
【００１８】
【図１】この発明の商品情報印刷装置の一実施例の構成ブロック図である。
【図２】この発明の商品取引時の商品情報の印刷処理の一実施例のフローチャートである。
【図３】この発明のレシート発行処理の一実施例のフローチャートである。
【図４】この発明のシール印刷部のシール印刷処理の一実施例のフローチャートである。
【図５】この発明の購入商品の取引情報の一実施例の説明図である。
【図６】この発明のシール情報の一実施例の説明図である。
【図７】この発明のレシートおよびシールの印刷状態の一実施例の説明図である。
【図８】この発明の２次元コードの一実施例の説明図である。
【図９】この発明のバーコードの一実施例の説明図である。
【図１０】この発明のシールを買物かごに貼付けた状態の一実施例の説明図である。
【図１１】この発明のシールを買物かごに貼付けた状態の一実施例の説明図である。
【発明を実施するための形態】
【００１９】
以下、図面を使用して本発明の実施の形態を説明する。なお、以下の実施例の記載によって、この発明が限定されるものではない。
＜この発明の商品情報印刷装置の構成＞
図１に、この発明の商品情報印刷装置の一実施例の構成ブロック図を示す。
図１において、この発明の商品情報印刷装置は、主として、入力部１，表示部２，出力部３，記憶部４，制御部５，および通信部６を備える。
【００２０】
ここで、この発明の商品情報印刷装置は、たとえば、コンビニエンスストア等の店舗で従来から用いられているＰＯＳ端末を用いることができる。
特に、入力部１，表示部２，出力部３のレシート印刷部３１，および通信部６と、さらに、記憶部４の一部と、制御部５の一部は、従来のＰＯＳ端末と同様の構成および機能を用いることができる。
ただし、この発明では、出力部３のシール印刷部３２と、記憶部４に記憶されるシール情報４２，制御部５に印字情報生成部５３の構成と機能を備えることを特徴とする。
【００２１】
この発明特有のシール印刷部３２等の機能は、機能モジュールとして、従来のＰＯＳ端末に新たに組み込んでもよい。あるいは、従来のＰＯＳ端末にはないシール印刷部３２は、ＰＯＳ端末とは別のハードウェアとして備えてもよい。
以下の実施例では、シール印刷部３２を含め、図１の各機能ブロックが、ＰＯＳ端末のような１つのハードウェアの中に組み込まれているものとして説明する。
【００２２】
入力部１は、操作者（たとえば、コンビニエンスストアのレジを操作する者）が、購入された商品に関する情報を入力する部分であり、たとえば、キーボード１１，コードリーダ１２などから構成される。
また、キーボード１１の特定のキーを入力することにより、シールの発行の有無の指示を入力する。
【００２３】
コードリーダ１２は、商品に記入されている印字コードを読み取る入力装置であり、現在市販されている種々のものを用いることができる。印字コードには、主として、１次元コード（以下、バーコードとも呼ぶ）と２次元コードとがある。
バーコードや２次元コードには、種々の規格のものが採用されているが、いずれの規格のコードを用いてもよい。
入力部１によって入力されたコードは、後述する取引情報取得部５１によって、主としてテキスト情報に変換され、取引情報として、記憶部４の取引情報４１に記憶される。
表示部２は、入力された取引情報４１や操作メニュー等を表示する部分であり、たとえば、ＬＣＤやＣＲＴなどが用いられる。
【００２４】
出力部３は、各種情報を視覚的に理解できる形式で用紙に出力する部分であり、主として、レシート印刷部３１と、シール印刷部３２とから構成される。
レシート印刷部３１は、購入された商品に関する情報や購入金額等を所定の用紙（レシートと呼ぶ）に印刷し、そのレシートを切断して出力する部分であり、ＰＯＳ端末に内蔵されているプリンタや、所定のＩ／ＯインタフェースによりＰＯＳ端末に接続されているプリンタが用いられる。
図７（ａ）に、購入商品の明細情報がテキスト情報として印刷されたレシートの一実施例を示す。
【００２５】
シール印刷部３２は、購入された商品に関するテキスト情報と、２次元コードなどの印字コードとを、端部に接着領域を有するシールに印刷し、そのシールを切断して出力する部分であり、この発明では、商品の購入証明書としての役割を持つシールを発行する装置（以下、シール発行装置とも呼ぶ）である。
シールはレシートと同様に細長い形状の用紙であり、表面の用紙と裏面の用紙とが接着され、一方の面の用紙をはがすことにより接着面が露出する用紙であり、どちらか一方の面に購入商品の情報が印刷される。
【００２６】
シール印刷部３２は、レシート印刷部３１と同様に、ＰＯＳ端末に内蔵してもよく、また所定のＩ／Ｏインタフェース（RS232, USB, SCSI, Firewire(IEEE1394), LAN(10BASE-Tなど)，WiFiなど）を介して、ＰＯＳ端末に接続してもよい。
シール印刷部３２によって出力されるシールは、たとえば、図７（ｂ）や図７（ｃ）に示すような貼付用テープであり、切取線で囲まれた部分の用紙をはがすと接着面が露出する。
【００２７】
この発明では、図７（ｂ）に示すように、細長い形状のシールの上下２ヶ所の端部に、切取線で囲まれた接着部分を形成し、この接着部分の用紙をはがし、シールを買物かごに貼り付ける。
たとえば、図１０に示したように、買物かごの出入口に封をするように貼り付けてもよく、あるいは図１１に示したように、買物袋の持手部分に巻き付けるように貼り付けてもよい。
【００２８】
通信部６は、ネットワークを介して、他のＰＯＳ端末、上位の管理装置あるいはサーバなどに接続して、商品に関する情報の送受信を行う部分である。
ネットワークとしては、ＬＡＮ，インターネットなどのＷＡＮの他、有線あるいは無線の種々の通信回線を用いることができる。
【００２９】
記憶部４は、購入した商品に関する取引情報、シールに関する情報、レシートおよびシールに印刷される印刷情報などの各種情報を記憶しておく部分であり、たとえば、ＲＯＭ，ＲＡＭなどの半導体メモリ，ハードディスク,ＣＤ，ＤＶＤなどの記憶媒体が用いられる。記憶部４には、主として、取引情報４１，シール情報４２，印刷情報４３が記憶される。
【００３０】
取引情報４１とは、購入した商品に関する詳細な情報（明細情報）を意味し、図５に示す様に、基本購入情報４１−１と、購入商品情報４１−２とから構成される。
図５に示すように、取引情報４１のうち、基本購入情報４１−１は、たとえば、購入日時（１），レジ番号（２），レシート番号（３），担当者番号（４），売上合計金額（５）から構成される。
また、購入商品情報４１−２は、たとえば、１つの商品について、商品コード（６），その商品単価（７），その商品の購入数量（８），その商品の購入金額（９）とから構成される。
図５には、これらの情報の具体例を示している。
ここでは、２０１０年３月３１日１２時４５分に、３つの商品（コーラ500ml，キュウリ，トマト）を、１つずつ購入した場合の例を表示している。
【００３１】
基本購入情報４１−１は、原則として、１人の顧客の１つの取引として処理するときに生成される情報であり、１つの支払い単位ごとに生成され、１つのレシート番号が付与される。
購入日時（１）は、顧客との取引を行った日時であり、ＣＰＵに含まれているタイマー機能等により、生成される。
レジ番号（２）は、商品情報の入力および取引を行った装置を特定する番号である。
レシート番号（３）は、１つの取引ごとに発行されるレシートを特定する番号である。
担当者番号（４）は、入力および取引を行った操作者を特定する番号である。
売上合計金額（５）は、１人の顧客が購入した一取引分の商品群の合計金額である。
商品コード（６）は、商品ごとに付与されている商品固有の識別コードであり、たとえば、ＪＡＮコードやＰＬＵコードが用いられる。
【００３２】
商品単価（７）は、商品の１個あたりの価格である。
購入数量（８）は、同一商品について、顧客が購入した個数である。
購入金額（９）は、購入された１つの商品についての合計金額であり、商品単価×購入数量に相当する。
【００３３】
取引情報４１のうち、商品コード（６）と購入数量（８）は、入力部１によって入力され、基本購入情報４１−１、商品単価（７）および購入金額（９）は、制御部５の取引情報取得部５１および金額演算部５２により生成される。
また、商品コードがバーコードで表示されている場合や、その他の情報を含めた２次元コードが商品に表示されている場合は、コードリーダ１２によってそのバーコードあるいは２次元コードが読み取られ、取引情報取得部５１によって文字や数字からなるテキスト情報に変換されて記憶される。
【００３４】
シール情報４２とは、この発明で利用されるシールを区別する情報であり、主としてシールに印字する情報によって区別される。シール情報４２は、装置の初期設定値として予め固定値として記憶してもよく、あるいは、店舗等の要求に応じて、その設定値を変更できるようにしてもよい。
【００３５】
図６に、シール情報の一実施例の説明図を示す。
シール情報４２は、主として、シール番号と、印字内容と、余白に関する情報とから構成される。
シール番号は、シールを区別する番号であり、印字内容は、シールに印刷する情報であり、余白は、のりしろや紙送りのためのスペース（改行数）を示したものである。
図６では、シール情報４２は、シール番号Ｌ０，上部のりしろ行数Ｌ１，上部紙送り行数Ｌ２，下部紙送り行数Ｌ３，下部のりしろ行数Ｌ４，および印刷タイプＬ５とからなる。
【００３６】
上部のりしろ行数Ｌ１は、シール上部に確保されるのりしろとなる接着領域の行数である。この接着領域の部分の一方の表面の用紙をはがすことにより、シールを買物かごなどに貼り付ける。
上部紙送り行数Ｌ２は、接着領域の下方に確保される行数であり、さらにその下の商品情報などを印刷する領域までの余白領域に相当する。
下部紙送り行数Ｌ３は、商品に関する文字情報や２次元コード等を印刷した領域の下に確保される行数であり、さらにその下の下部のりしろ行数で形成される接着領域までの余白領域に相当する。
【００３７】
下部のりしろ行数Ｌ４は、シール下部に確保されるのりしろとなる接着領域の行数である。上部のりしろ行数Ｌ１の接着領域と同様に、この領域部分の一方の表面の用紙をはがすことにより、シールを買物かごなどに貼りつける。
また、後述するように、上部と下部の２つののりしろとなる接着領域の用紙をはがした後、シールを買物かごの持手部分に巻きつけて、２つの接着領域の接着面どおしを貼りつけるようにしてもよい。
【００３８】
接着領域の用紙を容易にはがすことができるように、シールを発行するときに、接着領域を囲むように、切取線を自動的に形成するようにする。
買物かごに封をするという観点では、この接着領域は、シールの上下２ヶ所の端部（両端）にそれぞれ設けることが好ましいが、どちらか一方の端部にだけ設けてもよい。
一方の端部のみに接着領域を設けた場合は、シールを買物かごの持手部分に巻き付けるようにして貼り付ければよい。
【００３９】
印刷タイプＬ５とは、印刷内容を区別するための番号であり、図６では、「１」が合計金額のみを視覚的に理解できる記号や数字等からなるテキスト情報でシールに印字することを意味し、「２」が取引明細を視覚的に理解できる文字や記号等からなるテキスト情報でシールに印字することを意味する。
【００４０】
また、図６には、シール情報４２の具体例（シール番号１，２，３，…ｎ）をいくつか示しているが、これに限られるものではない。店舗ごとの都合により、必要に応じて、シール情報の内容を、追加，変更，削除してもよい。
また、図５の基本購入情報４１−１のうち、購入日時（１），レジ番号（２），レシート番号（３），担当者番号（４）については、シール番号によらず、必ず印字するものとする。ただし、これらの４つの情報についても印字の有無を設定変更できるようにしてもよい。
【００４１】
図６において、シール番号が「１」の場合、シールには、基本購入情報と、売上合計金額と、２次元コードとが印刷されることを意味している。
また、余白としては、シールの上方部分に、８行分の余白領域を設け、このうち５行分が上部のりしろ行数に相当する接着領域であることを示している。
さらに、シールの下方部分に、２０行分の余白領域を設け、このうち５行分が下部のりしろ行数分に相当する接着領域であることを示している。
【００４２】
また、シール番号が「２」の場合は、シールには、基本購入情報と、取引明細と、１次元コード（バーコード）とが印刷され、余白として、上方部分に１０行分、下方部分に１５行分の領域を設け、そのうちそれぞれ５行分が接着領域として確保されることを示している。
また、シール番号が「３」の場合は、余白の行数を除いて、シール番号「１」と同様の情報がシールに印刷される。
シール番号が「４」の場合は、シール番号「２」の１次元コードの代わりに、２次元コードが印刷されるが、他の情報はシール番号「２」と同様である。
【００４３】
図７（ｂ）は、図５に示した購入情報に対して、図６のシール番号（Ｌ０）が「１」の場合のシールの印刷状態を示したものである。
また、図７（ｃ）は、図５に示した購入情報に対して、図６のシール番号（Ｌ０）が「２」の場合のシールの印刷状態を示したものである。
図７（ｂ）のシール番号「１」の場合は、印刷タイプ（Ｌ５）が１なので、基本購入情報と、売上合計金額と２次元コードとを印刷している。
また、図７（ｃ）のシール番号「２」の場合は、印刷タイプ（Ｌ５）が２なので、基本購入情報と、購入した商品の取引明細とバーコードとを印刷している。
なお、シール番号「４」の場合は、図７（ｃ）のバーコードの代わりに、図７（ｂ）で示した２次元コードが印刷される。
【００４４】
シール番号の選択は、レジを操作する作業者が、レシート発行の有無を顧客に問合わせた上で、所定の番号を入力するようにすればよい。
また、レシートを発行する場合は、シール番号として「０」を入力するか、あるいは、レシート発行を意味する特定のキーを押し下げるようにしてもよい。
【００４５】
図１の印刷情報４３は、レシートあるいはシールに印刷すべき情報を、一つの取引ごとに、一時的に記憶したものである。
たとえば、図５に示した取引情報４１や、バーコードあるいは２次元コードを含む情報が記憶される。
【００４６】
制御部５は、この発明の商品情報印刷装置の各機能を実現するための部分であり、主として、取引情報取得部５１，金額演算部５２，印字情報生成部５３，印刷コード生成部５４とから構成される。
また、制御部５は、ＣＰＵ，ＲＯＭ，ＲＡＭ，Ｉ／Ｏコントローラ，タイマー等を含むマイクロプロセッサにより実現され、主としてＣＰＵが、ＲＯＭやＲＡＭに記憶された制御プログラムに基づいて、各種ハードウェアを動作させることにより、各機能ブロック（５１−５４）の機能を実行させる。
制御プログラムは、ＲＯＭやハードディスクに予め記録しておいてもよいが、ＣＤ，ＤＶＤあるいはＵＳＢメモリなどの記録媒体に予め記録しておき、これらの媒体から必要に応じてダウンロードするようにしてもよく、また、ネットワーク７を介して、その制御プログラムを格納したサーバからダウンロードするようにしてもよい。
【００４７】
取引情報取得部５１は、入力部１から入力された商品に関する情報から、購入商品の合計金額を含む取引情報を取得して、記憶部４に記憶させる部分である。
また、取引情報取得部５１は、コードリーダ１２によって入力されたコード（バーコード、あるいは２次元コード）を、所定の規格に基づいて、文字や数字からなるテキスト情報に変換させる。
金額演算部５２は、入力された商品に関する情報から、購入された商品ごとの小計や、１つの取引に対するすべての購入商品の合計金額（売上合計金額）を計算する部分である。
【００４８】
印字情報生成部５３は、記憶された取引情報４１に基づいて、レシートに印刷すべき情報、あるいはシールに印刷すべき情報を生成する部分である。
特に、入力部によってシールを発行する指示が入力された場合、記憶された取引情報から、シールに印字すべき購入商品のテキスト情報と、購入商品に関する所定の情報を含む印字コードとを生成する。
印字コードである２次元コードやバーコードを生成する必要がある場合は、印字情報生成部５３は、印刷コード生成部５４に対して、コード化すべき情報と、どのコードに変換すべきかについての情報とを与えて、コード化すべき情報を２次元コード等に変換してもらう。
生成された印刷すべき情報は、レシート印刷部３１あるいはシール印刷部３２に与えられる。
【００４９】
印刷コード生成部５４は、印字情報生成部５３からの要求に基づいて、２次元コード５５、または１次元コード（バーコード）５６を生成する部分である。
たとえば、印字情報生成部５３から「レシート番号」のみが与えられて、バーコードを生成することが要求された場合は、図９に示すように、レシート番号のみをバーコード５６に変換する処理が行われる。バーコードは、少なくともレシート番号を含むことが好ましい。
また、「購入日時，レジ番号，レシート番号，担当者番号，購入商品コード，購入数量，購入金額，売上合計金額」が与えられて、２次元コードを生成することが要求された場合は、図８に示すように、これらの情報をすべて含む２次元コード５５を生成する処理が行われる。２次元コードには、このような基本購入情報および購入商品情報を含むことが好ましい。
【００５０】
＜この発明の商品情報の印刷処理＞
図２に、この発明の商品情報印刷処理の一実施例のフローチャートを示す。
ここでは、たとえば、コンビニエンスストアなどに設置されたＰＯＳ端末を用いて、その従業員（操作者）が、顧客が購入した商品の情報を入力してから、レシートあるいはシールを発行するまでの処理の一実施例を示したものである。
この一連の処理は、主として、制御部５のＣＰＵによって行われる。
また、以下の実施例では、レシートを発行するときはシールを発行せず、レシートを発行しないときはシールを発行するものとして説明する。
シール番号としては、図６の「１」と「２」のみが設定されているものとする。
【００５１】
まず、ステップＳ１において、操作者が、入力部１を用いて、顧客が購入した商品に関する情報を入力する。
たとえば、コードリーダ１２を用いて、操作者が商品に付与されたバーコードをスキャンすることにより、そのバーコードが読み取られる。
ステップＳ２において、取引情報取得部５１が、読み取ったバーコードを、その商品についての取引情報に変換する。このとき、たとえばバーコードに商品コードが含まれていたとすると、商品コードがテキスト情報として生成され、取引情報４１の１つとして記憶部４に記憶される。
また、この生成された商品コードを用いて、記憶部などに予め対応づけて記憶されている商品単価が読み出され、取引情報４１の１つとして記憶される。
さらに、その顧客との取引開始時には、図５に示した基本購入情報４１−１の（１）から（４）までの情報も、取引情報４として記憶される。
【００５２】
ステップＳ３において、操作者から、購入した全商品の情報の入力が完了したことを示す入力があるか否か、チェックする。なければ、ステップＳ１へ戻り、次の商品情報の入力を待つ。
一方、商品情報の入力が完了したことを示す入力、たとえば、キーボード１１の特定のキーの入力があったときは、ステップＳ４へ進む。
【００５３】
ステップＳ４において、金額演算部５２が、入力された取引情報４１を用いて、顧客が購入したすべての商品についての合計金額を計算する。合計金額も、取引情報４１−１の売上合計金額（５）として記憶される。計算した合計金額は、表示部２に表示される。
操作者は、表示された合計金額を見て、顧客に対して購入金額を伝え、顧客がその金額の支払いをした後、入金処理をする（ステップＳ５）。
支払われたお金をレジに入金した後、特定のキーを押下げることにより、入金があったことを入力する。もし、おつりがある場合は、そのおつりを顧客に渡す。
【００５４】
以上のステップＳ１からＳ５までの処理は、従来のコンビニエンスストアなどのＰＯＳ端末で行われている操作や処理と同様である。
以下、ステップＳ６からＳ１７までの処理は、この発明の特有の処理であり、シールに、取引情報や２次元コード等を印刷する処理である。
【００５５】
ステップＳ６において、制御部５は、買物かごやレジ袋に貼付するシールを発行することを意味する入力があるか否か、チェックする。
ここで、操作者は、ステップＳ５において入金処理が終了した後、顧客に対し、たとえばレシートの発行が必要か否か、問い合わせる。
顧客がレシートの発行が必要であると返答した場合、操作者は、レシートの発行を意味する特定のキー入力を行う。上記したように、ここでは、レシートを発行するときは、シールを発行しないものとする。
このとき、ステップＳ６において、シールの発行を意味しない入力であって、レシートの発行を意味する指示入力がされたので、ステップＳ１８へ進み、レシート発行処理を行う。
レシート発行処理は、たとえば、後述するような図３の処理を行う。
一方、顧客がレシートの発行が不要であると返答した場合、操作者は、シールの発行を意味する特定のキー入力を行う。このシールの発行を意味する指示入力がされた場合、ステップＳ７へ進む。
このとき、記憶された取引情報４１は、印刷情報４３としても用いられる。
【００５６】
また、操作者が顧客にレジ袋が必要かどうかを問い合わせて、レジ袋は不要という回答を得た場合、あるいは、顧客が自らレジ袋は不要という申告をした場合は、購入商品を顧客が持参した買物かご（いわゆるマイバッグ）に入れて持ち帰るものと判断して、操作者は、シールの発行を意味する特定のキー入力をする。
また、図６に示すように、発行するシールが複数種類ある場合は、特定のキーを入力する代わりに、あるいはその特定のキー入力に加えて、操作者は、発行するシール番号をキーボードから入力する（ステップＳ７）。
たとえば、図７（ｂ）のようなシールを発行する場合は、シール番号として「１」を入力する。また、図７（ｃ）のようなシールを発行する場合は、「２」を入力する。
ステップＳ７において、制御部５が、入力されたシール番号を確認する。
【００５７】
ここで、缶ビールなどの同一商品のケース売りの場合は、シールに購入内容を印刷しなくても購入内容が分かる為、図７（ｂ）のシールを発行させることが好ましい。
また、医薬品のように医療控除を申請する等の販売明細の証明を必要とする場合は、購入内容の印刷が必要なので、図７（ｃ）のシールを発行させることが好ましい。
【００５８】
特に、清涼飲料水のペットボトルのような１品だけを購入し、レシートの発行も不要な場合は、図７（ｂ）のようなシールを発行し、操作者が、そのシールを、購入されたペットボトルそのものに直接貼るようにしてもよい。
これにより、貼り付けたシールには、ペットボトルに関する取引情報が印刷されているので、単に購入されたことを示すテープを商品に貼るよりも、より確実に、その商品が決済済みであることが確認できるようになる。
【００５９】
また、野菜などのシールを直接貼ることが困難な商品や、貼ってもすぐはがれるおそれのある商品が多数購入されている場合で、レシートが不要かつマイバッグ持参の場合は、図７（ｃ）のようなシールを発行し、顧客が、そのシールを、多数の対象商品を入れたマイバッグの持手部分に巻き付けるように貼ってもよい。
これにより、１枚のシールを発行しマイバッグに貼るだけでよく、商品ごとにシールを貼る必要がないので、顧客や操作者の手間が簡略化でき、レジにおける取引処理の時間短縮が可能となる。また、マイバッグに貼り付けたシールには、マイバッグに入っている購入商品の情報が印字されているので、購入証明が容易かつ確実にできる。
【００６０】
図２のステップＳ８において、入力されたシール番号から、シール情報４２を取得する。
ここで、図６に示したそのシール番号に対応するシール情報４２の内容（上部のりしろ行数など）が、記憶部４から読み出される。
読み出されたシール情報は、印刷情報４３として一時記憶される。
ステップＳ９において、印字情報生成部５３が、シール印刷部３２へ、シール上方部分の印字指令を送信する。
この印字指令には、読み出されたシール情報のうち、上部のりしろ行数Ｌ１と、上部紙送り行数Ｌ２とが含まれ、さらに、上部のりしろ行数Ｌ１に相当する接着領域を囲むように、切取線を作成する指示を含む。
この印字指令を受信したシール印刷部３２は、後述する図４に示すように、シールを発行するが、シール上方部に指定されたのりしろ行数分（Ｌ１）の紙送りをしながら、シール表面であってその行数分に相当する接着領域を囲むように切取線を作成する。
その後、上部紙送り行数分に相当する行数（Ｌ２）だけ紙送りをして、シール上方部を作成する。
【００６１】
ステップＳ１０において、印字情報生成部５３は、記憶部４の印刷情報４３のうち、図５のような基本購入情報４１−１を読み出し、シール印刷部３２へ、印字指令を送信する。
ここで、印字指令には、その取引における基本購入情報４１−１の内容（購入日時から売上合計金額までの情報）が含まれる。これらの情報は、テキスト情報として印字される。
この印字指令を受信したシール印刷部３２は、受信した基本購入情報を、テキスト情報として所定のフォーマットで、シール上方部のすぐ下の領域に印字する。
【００６２】
ステップＳ１１において、印字情報生成部５３が、入力されたシール番号に対応する印刷タイプＬ５を読み出し、その内容をチェックする。
図６に示した実施例では、１あるいは２のどちらであるかをチェックする。
ステップＳ１１において、印刷タイプＬ５が、「１」の合計金額のみ印字であった場合、ステップＳ１４へ進む。
一方、印刷タイプＬ５が、「２」の取引明細印字の場合は、ステップＳ１２へ進む。
【００６３】
ステップＳ１２において、印字情報生成部５３は、取引明細をテキスト情報として印字するために、取引情報４１のうち、購入商品情報４１−２を読み出して、シール印刷部３２へ、印字指令を送信する。
ここで、印字指令には、図５に示したような購入された商品すべての購入商品情報（商品コードから購入金額まで）が含まれる。
この印字指令を受信したシール印刷部３２は、受信した購入商品情報を用いて、所定のフォーマットで、各商品ごとにその明細をテキスト情報として、ステップＳ１０で印字されたシールの基本購入情報の下方に印字する。たとえば、図７（ｃ）のように印字される。
【００６４】
ステップＳ１３において、印字情報生成部５３は、印刷コード生成部５４に、１次元コード（バーコード）５６を生成させる。
たとえば、印刷コード生成部５４は、図９に示すように、取引情報４１のレシート番号のみをバーコードに変換する。生成されたバーコード５６は、印刷情報４３として記憶される。
このステップＳ１３は、図６のシール番号「２」の場合に対応する処理である。
ただし、図２には図示していないが、シール番号が「４」の場合は、２次元コードが生成される。
【００６５】
ステップＳ１４において、印刷タイプＬ５が取引明細印字ではなかったので、印字情報生成部５３は、取引情報の中のすべての取引明細データを含む２次元コード５５を生成する。
すなわち、印刷コード生成部５４が、図５に示したすべての取引明細を、２次元コード５５に変換する。
この場合は、２次元コード５５に、図５の基本購入情報４１−１と購入商品情報４１−２のすべての情報（購入日時（１）から購入金額（９）までの情報）とが含まれる。
生成された２次元コード５５は、印刷情報４３として記憶される。
【００６６】
ステップＳ１５において、印刷情報生成部５３は、生成された印字コード（１次元コードまたは２次元コード）を記憶部４から読み出し、シール印刷部３２へ、印字指令を送信する。
ここで、印字指令には、生成された印字コードが含まれる。
この印字指令を受信したシール印刷部３２は、受信した印字コードを、すでに印字された基本購入情報４１−１あるいは購入商品情報４１−２のすぐ下方に、印刷する。
【００６７】
ステップＳ１６において、印字情報生成部５３が、シール印刷部３２へ、シール下方部分の印字指令を送信する。
この印字指令には、シール情報４２のうち、下部紙送り行数Ｌ３と、下部のりしろ行数Ｌ４とが含まれ、さらに、下部のりしろ行数Ｌ４に相当する接着領域を囲むように、切取線を入れる指示を含む。
【００６８】
この印字指令を受信したシール印刷部３２は、印字された２次元コードあるいはバーコードのすぐ下方に、下部紙送り行数分（Ｌ３）の余白を確保するようにシールを送り、その後、シール下方部に指定されたのりしろ行数（Ｌ４）に相当する接着領域に、切取線を作成する。
これにより、たとえば、図７（ｂ）や図７（ｃ）に示したようなシールが生成される。
【００６９】
ステップＳ１７において、印字情報生成部５３は、シール印刷部３２へ、シールの切断指令を送信して、処理を終了する。
切断指令を受信したシール印刷部３２は、シール下方部の切取線の下で、生成したシールを切断する。
この後、操作者は、発行されたシールにおいて、上方部と下方部に作成した切取線に沿って切取線内部の接着領域の用紙をはがして接着面を露出させ、購入された商品を入れたマイバッグやレジ袋に貼り付ける。
【００７０】
図２に示したフローチャートでは、シールを発行する指示入力があり、その指示が購入商品の明細をテキスト情報で印字する指示である場合（ステップＳ１２）、印刷されるテキスト情報には、基本購入情報と購入されたすべての商品の購入商品情報を含み、印刷される印字コードは、１次元コード（バーコード）である。
また、シールを発行する指示入力があり、その指示が購入商品の明細をテキスト情報で印字しない指示である場合、印刷されるテキスト情報には、基本購入情報を含み、印刷される印字コードは、２次元コードである（ステップＳ１４）。
ただし、図６に示したように、設定されたシールの種類が他にある場合は、シールに印刷される情報はこれに限るものではない。
【００７１】
図３に、ステップＳ１８に示したこの発明のレシート発行処理の一実施例のフローチャートを示す。
図３のステップＳ３１において、印字情報生成部５３は、取引情報４１のうち、基本購入情報４１−１を読み出し、レシート印刷部３１へ、印字指令を送信する。
たとえば、図５の場合は、購入日時（１），レジ番号（２），レシート番号（３），担当者番号（４）を、印字指令に含める。
この印字指令を受信したレシート印刷部３１は、レシート用紙に、上記のような４つの情報（１）−（４）を、テキスト情報として印字する。
【００７２】
ステップＳ３２において、印字情報生成部５３は、取引情報４１のうち、購入商品情報４１−２を、購入商品ごとに読み出し、レシート印刷部３へ、印字指令を送信する。
この印字指令には、たとえば、１つの購入商品に対する商品コード（６），商品単価（７），購入数量（８），購入金額（９）が含まれる。
この印字指令を受信したレシート印刷部３１は、その１つの購入商品ごとに、受信した購入商品情報を、所定のフォーマットで、テキスト情報として印字する。
ただし、商品コード（６）は、そのまま印字してもよいが、商品名に置換して送信し、商品名を印字することが好ましい。
購入商品が複数ある場合は、その各購入商品ごとに、購入商品情報の送信と印字とを繰り返し行う。
【００７３】
購入商品ごとの印字がすべて終了した後、ステップＳ３３へ進み、取引情報４１の売上合計金額（５）を読み出し、レシート印刷部３１へ、売上合計金額を含めた印字指令を送信する。
この印字指令を受信したレシート印刷部３１は、所定のフォーマットで、取引をした顧客の購入商品全体の合計金額を、レシートに印刷する。
ステップＳ３４において、印字情報生成部５３は、レシート印刷部３１に、レシートの切断指令を送信する。これにより、レシート印刷部３１は、レシートを切断し、レシートを発行する。
以上のステップＳ３１，Ｓ３２およびＳ３３の処理により、たとえば、図７（ａ）のようなレシートが発行される。
【００７４】
図４に、この発明のシール印刷部３２のシール発行処理の一実施例のフローチャートを示す。
図４のステップＳ４１からＳ４５までにおいて、印字情報生成部５３から、どのような印字指令が送信されてきたかを確認する。
図２のフローチャートでは、５つの種類の印字指令があるので、各ステップにおいてその印字指令の内容をチェックする。
まず、ステップＳ４１において、シール上方部分の印字指令を受信したか否か、チェックする。
この印字指令を受信した場合は、印字指令に含まれる情報に基づいて、発行するシールに対して、シール上方部に相当する領域を確保する処理をする。
【００７５】
具体的には、ステップＳ４６において、シール上方部ののりしろに相当する指定行数分の紙送りをし、ステップＳ４７において、シール上方部ののりしろとして確保した接着領域を囲むように、切取線を作成し、ステップＳ４８において、上記切取線の下方に指定行数分の紙送りをする。
これにより、シール上方部の領域が確保され、図７（ｂ），（ｃ）に示すように、シール上方部に切取線で囲まれた接着領域が形成される。
この後、ステップＳ４１へ戻る。
【００７６】
受信した印字指令がシール上方部分の印字指令でなかった場合、次に、ステップＳ４２において、基本購入情報の印字指令を受信したか否か、チェックする。
この印字指令を受信した場合は、ステップＳ４９へ進み、印字指令に含まれる基本購入情報を、所定の印字フォーマットに組み立てて、視覚的に理解できるテキスト情報として、シールに印字する。
この後、ステップＳ４１へ戻る。
【００７７】
ステップＳ４３において、基本購入情報の印字指令でなかった場合、購入商品情報の印字指令を受信したか否か、チェックする。
この印字指令を受信した場合、ステップＳ５０へ進み、印字指令に含まれる購入商品情報を、視覚的に理解できるテキスト情報として、シールに印字する。
購入商品が複数個ある場合は、その購入商品ごとにその商品の明細情報を、順番に印刷する。
この後、ステップＳ４１へ戻る。
【００７８】
ステップＳ４４において、受信した印字指令が、印字コードの印字指令であるか否か、チェックする。
この印字指令を受信した場合、ステップＳ５１へ進み、印字指令に含まれる印字コード（２次元コード，またはバーコード）を、シールに印刷する。
この後、ステップＳ４１へ戻る。
【００７９】
ステップＳ４５において、シール下方部分の印字指令を受信したか否か、チェックする。
この印字指令を受信した場合、印字指令に含まれる情報に基づいて、シール下方部に相当する領域を確保する処理をする。
具体的には、ステップＳ５２において、シール下方部に、指定行数分の余白を確保するために、シールの紙送りをし、ステップＳ５３において、シール下方部ののりしろに相当する接着領域に、切取線を作成し、ステップＳ５４において、切取線で囲まれた接着領域に相当する指定行数分だけ、シールの紙送りをする。
これにより、シール下方部の領域が確保され、図７（ｂ），（ｃ）に示すように、シール下方部に切取線で囲まれた接着領域が形成される。
【００８０】
ステップＳ４１からＳ４５において、いずれの印字指令でもなかった場合、ステップＳ５５において、印字情報生成部５３からシールの切断命令が受信されたか否か、チェックする。
切断指令が受信された場合、ステップＳ５６において、すでに各情報が印刷されたシールを切断する。
これにより、たとえば、図７（ｂ）や図７（ｃ）が示されるようなシールが発行される。
【００８１】
このようにして発行されたシールは、操作者あるいは顧客が、切取線で囲まれた接着領域の用紙をはがして、図１０や図１１に示したように、買物かごに貼付ければよい。
なお、上記実施例では、図７（ｂ），（ｃ）に示すように、切取線で囲まれた領域をシールの上方と下方の両端の２ヶ所に形成することにしたが、図１１のように巻き付ける方法で貼る場合は、上方部または下方部のいずれか一方の端部のみに、切取線を形成するようにしてもよい。
【００８２】
もし、図１０あるいは図１１のように買物かごにシールを貼り付けた後に、購入商品の確認をする場合は、買物かごの中の商品と、図７（ｃ）のようにシールに印字された商品明細情報とを対比させて、確認すればよい。
【００８３】
図７（ｃ）の場合は、シールに、購入商品名が文字データとして視覚的に理解できる形式で表示されているので、単に商品ごとに購入済みテープを貼る場合よりも、より容易かつ確実に、購入済みの証明の確認をすることができる。
【００８４】
また、図７（ｂ）のように、シールに商品明細のテキスト情報が印字されずに、２次元コードが印字されている場合は、コードリーダ１２でこの２次元コードを読み取り、読み取った２次元コードに含まれる商品情報の明細を表示部２に表示させ、買物かごの中の商品と、表示された商品明細とを対比させて確認すればよい。
これにより、レシートを発行した場合に限らず、レシートを発行しなかった場合でも、商品購入後の商品確認が、容易かつ確実にできる。
【００８５】
また、レシートを発行してもらわなかった顧客や、レシートをなくしてしまった顧客が、レシートの発行や別途領収証を発行してもらいたい場合、後日、シールを購入店舗に持っていけば、レシートの再発行等が容易にできる。
たとえば、シールに２次元コードが印刷されていた場合、その店舗の操作者が、コードリーダ１２を用いて、その２次元コードを読み取る操作をするだけで、２次元コードに含まれていた購入商品の明細を、たとえば表示部で確認することができ、この明細が正当なものであることを確認した後、所定のレシート発行操作をするだけで、レシートの発行をすることができる。
【００８６】
すなわち、後日の顧客によるレシートの再発行などの要求に対して、店舗の操作者は持参されたシールに対して容易な操作をするだけでレシートの発行処理をすることができ、過去の売上情報の調査等の面倒な作業をする必要はなく、操作者の負担を軽減できる。
また、レジで取引中に、対象商品ごとにそれぞれテープを貼る場合に比べて、その対象商品に関する情報をすべて印刷した１枚のシールを発行するだけなので、レジでの取引処理を、時間をかけずに、円滑に進めることができる。
【符号の説明】
【００８７】
１  入力部
２  表示部（ＬＣＤ）
３  出力部
４  記憶部
５  制御部
６  通信部
７  ネットワーク
１１  キーボード
１２  コードリーダ
３１  レシート印刷部
３２  シール印刷部
４１  取引情報
４２  シール情報
４３  印刷情報
５１  取引情報取得部
５２  金額演算部
５３  印字情報生成部
５４  印刷コード生成部
５５  ２次元コード
５６  １次元コード（バーコード）
【図１】
2011227723.tif 000003
【図２】
2011227723.tif 000004
【図３】
2011227723.tif 000005
【図４】
2011227723.tif 000006
【図５】
2011227723.tif 000007
【図６】
2011227723.tif 000008
【図７】
2011227723.tif 000009
【図８】
2011227723.tif 000010
【図９】
2011227723.tif 000011
【図１０】
2011227723.tif 000012
【図１１】
2011227723.tif 000013